(57)【要約】      （修正有）【課題】豚の脂身と皮からなるルアーに、簡単な構成で一層自然な動きを付与し、これを捕食する魚からより認識されるようにする。【解決手段】豚の脂身と皮からなるルアーにおいて、アーム部２は皮のみを残して脂身を削ぎ落とし、アーム先端部は脂身１ｂと皮１ａを残す。これにより当該アーム先端部に浮力が付与され、ルアーの動きが一層自然となる。【選択図】図１
0003130403.tif 000002
【実用新案登録請求の範囲】
【請求項１】
動物の皮とこれに付随する脂身とで構成され、本体部と、当該本体部から延在しそれぞれアーム先端部を有する２本のアーム部とを具え、前記アーム先端部に所定厚さの脂身を残して前記アーム部の脂身が削ぎ落とされていることを特徴とするルアー。
【請求項２】
請求項１に記載のルアーにおいて、前記本体部が、所定厚さの脂身を設けて構成されていることを特徴とするルアー。
【請求項３】
請求項１に記載のルアーにおいて、前記アーム先端部に、前記本体部および前記アーム部と異なる色が付されていることを特徴とするルアー。
【請求項４】
請求項１乃至３に記載のルアーをラバージグまたはスピナーベイトに装着してなることを特徴とするルアー。
【考案の詳細な説明】
【技術分野】
【０００１】
本考案はルアーに関し、特に、動物の皮とこれに付随する皮からなるルアーに関する。
【背景技術】
【０００２】
スポーツフィッシングは、娯楽や趣味、スポーツとして若者から大人まで幅広い層で支持され、楽しまれている。なかでも、バス（ブラックバスの略称）釣りなどで知られているルアーフィッシングは人気が高い。ルアーとは、本物の餌ではなく人工的に作られた疑似餌のことであり、小魚や昆虫類、ザリガニなどの甲殻類を模したものがある。また、その素材も様々で、ハードベイトと呼ばれる硬質性プラスチック樹脂や木材、金属等を素材にしたルアーや、ソフトベイトと呼ばれる軟質性プラスチック樹脂等で作られたルアーがある。さらに、最近では、ポークラインドと呼ばれる豚の皮と脂身で作られたルアーもある。このポークラインドは、プラスチック樹脂等からなるハードベイトやソフトベイトに比べ、柔軟で食感も良く、魚が食い付いたときに違和感を覚えることがない。そのため、魚にすぐに吐き出されてしまうことが少なく、魚の食い付きが良い。また、ポークラインドはソフトベイトより耐久性が高いため人気が高い。
【０００３】
例えば、ポークラインドには、ザリガニの形状を模したものがある。（例えば、非特許文献１）。
【非特許文献１】Ｕｎｃｌｅ  Ｊｏｓｈ  Ｂａｌｔ  Ｃｏｍｐａｎｙ、Ｎｅｗ！  Ｐｈａｎｔｏｍ  Ｃｒａｗ、［ｏｎｌｉｎｅ］、Ｕｎｃｌｅ  Ｊｏｓｈ  Ｂａｌｔ  Ｃｏｍｐａｎｙ、［平成１８年１１月１５日検索］、インターネット＜ＵＲＬ：ｈｔｔｐ：／／ｗｗｗ．ｕｎｃｌｅｊｏｓｈ．ｃｏｍ／ｕｎｃｌｅｊｏｓｈ／ｍｏｄｕｌｅｓ／ｃａｒｔ／ｐｒｏｄｕｃｔｓ．ｐｈｐ／ｎａｖｉ＿ｉｄ／１／ｐａｇｅ／１／ｉｄ／７／ｎａｍｅ／ＮＥＷＰｈａｎｔｏｍＣｒａｗ＞
【考案の開示】
【考案が解決しようとする課題】
【０００４】
しかしながら、非特許文献１のルアーは、ザリガニの爪をイメージしたアーム部分が薄く、皮のみからなり、水中でルアーを引っ張った場合にひらひらする効果があるが、この部分は浮力を有さない。一方、実際のザリガニは水中で爪を立てる場合がある。しかしながら、非特許文献１のルアーは、アーム部分に浮力がないため、ザリガニが爪を立てている様子とはならない。このためアピールに欠け、これを捕食する魚（ブラックバス、スモールマウスバス、または雷魚等）から十分に認識されないという欠点がある。したがって、簡単な構成でザリガニの爪に浮力を付与できれば爪を立てたザリガニとすることができ、釣果を期待できる。
【課題を解決するための手段】
【０００５】
この課題を解決すべく、本考案にかかるルアーは、動物の皮とこれに付随する脂身とで構成され、本体部と、当該本体部から延在しそれぞれアーム先端部を有する２本のアーム部とを具え、前記アーム先端部に所定厚さの脂身を残して前記アーム部の脂身が削ぎ落とされ、前記アーム先端部に浮力を持たせることを最も主要な特徴とする。
【０００６】
また、このルアーにおいて、前記本体部が所定厚さの脂身を設けて構成されていることを特徴とする。
【０００７】
さらに、このルアーにおいて、前記アーム先端部に前記本体部および前記アーム部と異なる色が付されていることを特徴とする。
【０００８】
さらに、このルアーをラバージグまたはスピナーベイトに装着してなることを特徴とする。
【考案の効果】
【０００９】
本考案によれば、ルアーが醸し出すザリガニの自然な動きによって飛躍的な釣果を達成することができる。すなわち、ザリガニの爪をイメージしたルアーのアームの先端部に脂身を残すことで当該アーム先端部に浮力が働き、皮のみが残されたアーム部自体の柔軟性と相まって、ザリガニが爪を立てたかの如く、ルアーが水中でゆらゆらうごめく。さらに、このルアーの本体部に釣り針を付けて釣り糸で引っ張ると、アーム部に水の抵抗力が加わり、アーム先端部が水底方向へ沈んでいく。ここで、釣り糸の張力を緩めると、アーム先端部を沈まさせる水の抵抗力がなくなり、当該アーム先端部に働く浮力により、アーム部が再び浮上し、ゆらゆらとうごめく。これにより、あたかもザリガニが水底を移動して爪を立てた様子を醸し出し、ザリガニを捕食する魚にルアーを本物のザリガニと誤って認識させ、ターゲットとする魚を誘き寄せることができる。
【００１０】
また、本考案にかかるルアーは動物の皮とこれに付随する脂身からなるため、プラスチック樹脂等の人工素材からなるルアーに比べて柔らかく、魚が食い付いたときの違和感がない。そのため、魚が、食い付いた餌を吐き出すことが少なくなり、釣果を向上させることができる。
【００１１】
さらに、ルアーのアーム先端部にアーム部および本体部と異なる色を付すことにより、当該アーム先端部を強調し、ターゲットとする魚の色覚に訴え、前記ルアーがより識別され易くなる。
【考案を実施するための最良の形態】
【００１２】
本考案の実施の形態を、添付の図面を参照しながら以下に詳細に説明する。
【００１３】
図１は、本考案にかかるルアーの一実施例を示す斜視図であり、図２は、当該実施例をを示す底面図である。図１に示すように、本実施例のルアーは、概略楕円形の本体部１と、当該本体部１の一方の端部からＶ字方向に延在する２つのアーム部２とを具えている。本実施例は、豚の皮およびこれに付随する脂身からなる。図１および図２を参照すると、本体部１は皮１ａに約５ｍｍ程度の脂身１ｂを残して構成され、釣り針を刺して水中で引っ張っても容易に損傷しないように強度を確保している。本体部１はまた、長径が約３．５ｃｍ程度、短径が約３．０ｃｍ程度である。アーム部２はアーム先端部３を具え、図１によく示すように、アーム先端部３に同じく５ｍｍ程度の脂身を残してそれ以外の部分の脂身を削ぎ落としている。アーム部２は、長さが約６．０ｃｍ程度、幅が約１．８ｃｍ程度であり、アーム先端部３の長さは約１．０ｃｍ程度である。図１に示すように、アーム先端部３のみ他の部分と異なる着色が施されている。
【００１４】
図３は、前記ルアーのアーム先端部３の拡大斜視図である。アーム部２は、豚の脂身がそぎ落とされ皮のみが残されているため柔軟性があり、アーム先端部３は、豚の脂身３ｂが残されているため浮力を有する。このアーム部２の柔軟性とアーム先端部３の浮力とにより、アーム部２が水中でゆらゆらとうごめく。また、アーム先端部３はアーム部２および本体部１と異なる色が付されており、当該アーム先端部３が強調され、これを捕食する魚の色覚に訴え、ターゲットとする魚から識別され易くなっている。
【００１５】
図４は、本考案にかかるルアーの使用状態を示す図である。本考案は、ラバースカートと呼ばれる細く加工された革やシリコン等が装着されたラバージグと呼ばれる錘の付いた釣り針に、アピール力を高めるためにラバージグ等に取り付けられるトレーラと呼ばれるルアーとして使用する。ラバージグは根がかりしにくく、湖底や葦際を狙う場合に最も適したルアーである。
【００１６】
図４に示すように、ラバージグ４の針６を本体部１に刺してトレーラ５をラバージグ４に装着する。ラバージグ４はザリガニの胴体、トレーラ５はザリガニの爪をイメージしている。前述のように、本体部１は皮と脂身が残っているため、針６を刺して引っ張っても容易に本体部１が損傷しないように強度が確保されている。
【００１７】
図５は、本考案の一実施例にかかるルアーの使用状態を示す図である。図５ａは、ラバージグ４に緊結された釣り糸８でルアー７を引っ張り始める様子を示している。図５ａに示すように、釣り糸８で水底９を這わせるようにルアー７を引っ張ると、引っ張り方向１０と逆方向の水の抵抗力１１がアーム部２に加わる。この水の抵抗力が１１がアーム部２を沈ませる力となり、図５ｂに示すように、アーム先端部３が水底９へ沈んでいく。その後、ルアー７を引っ張るのを止めるとアーム部２を沈ませる力がなくなり、図５ｃに示すように、アーム先端部３に働く浮力により、当該アーム先端部３が水面方向へ再び浮かび上がり、水中でゆらゆらとうごめくようになる。これにより、あたかもザリガニが水底を移動して爪を立てた様子となり、これを捕食する魚を効果的に誘き寄せることができる。
【００１８】
本考案にかかるルアーはまた、これを捕食する魚の種類や大きさに応じて、様々な寸法としてもよい。
【００１９】
本考案にかかるルアーはまた、豚だけではなく、その他の動物、例えば、猪、牛、馬、鹿、山羊、羊、狸、狐、イタチ、蛇、熊、鶏、鴨、鵞鳥、鳩、雀、烏、ツチクジラ、ゴンドウクジラ、ハナゴンドウ等から作成してもよい。
【００２０】
本考案にかかるルアーはまた、「く」の字状のワイヤの一方に薄い金属片が具えられ他方には錘と針が具えられたスピナーベイトと呼ばれる釣り針に装着してもよい。さらに、本考案にかかるルアーをその他の釣り針に装着してもよい。
【００２１】
本考案にかかるルアーはまた、アーム先端部が本体部およびアーム部と同色であってもよい。
【００２２】
なお、ルアー各部の寸法は上述した例に限定されるものではなく、適宜変更することができる。特に、アーム先端部の脂身の厚みは、所望の浮力が得られる限りにおいて、例えば０．３〜２．０ｃｍとすることができる。
【産業上の利用可能性】
【００２３】
本考案にかかるルアーは、釣具業界、特にルアー業界に利用することができる。
【図面の簡単な説明】
【００２４】
【図１】本考案にかかるルアーの一実施例を示す斜視図である。
【図２】本考案にかかるルアーの一実施例を示す底面図である。
【図３】図１に示す実施例のアーム先端部３の拡大斜視図である。
【図４】本考案にかかるルアーの一実施例の使用状態を示す図である。
【図５】本考案の一実施例にかかるルアーの使用状態を示す図である。
【符号の説明】
【００２５】
１    本体部
１ａ  皮
１ｂ  脂身
２    アーム部
３    アーム先端部
３ａ  皮
３ｂ  脂身
４    ラバージグ
５    トレーラ
６    針
７    ルアー
８    釣り糸
９    水底
１０  引っ張り方向
１１  水の抵抗力
【図１】
0003130403.tif 000003
【図２】
0003130403.tif 000004
【図３】
0003130403.tif 000005
【図４】
0003130403.tif 000006
【図５】
0003130403.tif 000007
【手続補正書】
【提出日】平成19年1月15日(2007.1.15)
【手続補正１】
【補正対象書類名】実用新案登録請求の範囲
【補正対象項目名】請求項４
【補正方法】変更
【補正の内容】
【請求項４】
請求項１〜３のいずれかに記載のルアーをラバージグまたはスピナーベイトに装着してなることを特徴とするルアー。